(57)【要約】【課題】板部材に形成された一部が開口した切欠空間に通される配管を保護するのに好適な、取り付けが容易で、かつ確実に固定できる、配管保護部材を提供する。【解決手段】配管保護部材（１２）が、配管が通される板部材（４）の端面に開口した切欠空間（８）の内縁に沿って嵌合する凹溝（１４）を有した縁部（１６）と、凹溝（１４）の一対の側壁の一方に形成され板部材（４）に着脱を自在に固定される取付部（１８）とを備える。【選択図】図２
2007100884.tif 000002
【特許請求の範囲】
【請求項１】
配管が通される板部材の端面に開口した切欠空間の内縁に沿って嵌合する凹溝を有した縁部と、
この凹溝の一対の側壁の一方に形成され板部材に着脱を自在に固定される取付部と
を備えている、ことを特徴とする配管保護部材。
【請求項２】
取付部はボルトの挿通穴を少なくとも１個備え、この挿通穴を通したボルトによって板部材に固定される、
ことを特徴とする請求項１記載の配管保護部材。
【請求項３】
切欠空間は水平方向に延びる略Ｕ字形状に形成され、
取付部は切欠空間の上方に位置している、
ことを特徴とする請求項１または２記載の配管保護部材。
【発明の詳細な説明】
【技術分野】
【０００１】
本発明は、建設機械のフレームなどを構成する板部材の端部に形成した切欠空間に通される配管の保護部材に関する。
【背景技術】
【０００２】
例えば、建設機械において、フレームを構成する板部材に貫通穴を形成しその中に油圧ホースを通す場合、貫通穴とホースの接触さらに機体およびホースの振動による、ホースの損傷を防止するために、貫通穴の縁には周知のリング状のラバーブッシングあるいはグロメットと呼ばれる保護部材が嵌め込まれ取り付けられる（例えば、特許文献１参照）。
【特許文献１】特開平６−２２９４６６号公報（第１図、第２図）
【発明の開示】
【発明が解決しようとする課題】
【０００３】
しかしながら、上述したとおりの形態の配管保護部材には、次のとおりの解決すべき課題がある。
【０００４】
すなわち、図４を参照して説明すると、建設機械のフレーム２を構成する、配管が通される板部材４は、中央部に比較的大きな開放部５を備え、この開放部５には標準的に装備される配管、機器類が配置されている。このようなフレーム２において、板部材４の開放部５の近くに例えば作業に応じて後付けされるアタッチメント用の配管を通す場合、貫通穴を設ける余地がないので、また配管を容易に後付けできるように、板部材４の開放部５側の端面に配管を差し入れる開口６を有した切欠空間８が形成される。
【０００５】
しかしながらこの切欠空間８は、一部が開口されているので、配管保護のための周知のリング状の保護部材を取り付けることができず、例えばリング状の保護部材を半割れにして取り付けると、容易に脱落してしまい、また脱落しないようにフレーム２に確実に接着するのは面倒であるなど、切欠空間８への配管保護部材の設置が困難な問題がある。
【０００６】
本発明は上記事実に鑑みてなされたもので、その技術的課題は、板部材に形成された一部が開口した切欠空間に通される配管を保護するのに好適な、取り付けが容易で、かつ確実に固定できる、配管保護部材を提供することである。
【課題を解決するための手段】
【０００７】
本発明によれば上記技術的課題を解決する配管保護部材として、配管が通される板部材の端面に開口した切欠空間の内縁に沿って嵌合する凹溝を有した縁部と、この凹溝の一対の側壁の一方に形成され板部材に着脱を自在に固定される取付部とを備えている、ことを特徴とする配管保護部材が提供される。
【０００８】
好適には、取付部はボルトの挿通穴を少なくとも１個備え、この挿通穴を通したボルトによって板部材に固定される。また、切欠空間は水平方向に延びる略Ｕ字形状に形成され、取付部は切欠空間の上方に位置している。
【発明の効果】
【０００９】
本発明に従って構成された配管保護部材は、板部材の端面に開口した切欠空間の内縁に嵌合する縁部と、縁部に形成され板部材に固定される取付部を備えている。したがって、配管が通される切欠空間に、取り付けが容易で、かつ確実に固定できる、配管保護部材が提供される。
【発明を実施するための最良の形態】
【００１０】
以下、本発明に従って構成された配管保護部材について、好適実施形態を図示している添付図面を参照して、さらに詳細に説明する。
【００１１】
先ず図４を参照して、配管保護部材が取り付けられる板部材に形成された切欠空間について説明する。フレーム２を構成する配管が通される板部材４は、開放部５に面した鉛直に延びる端面に、配管を差し入れる開口６を有した切欠空間８を備えている。切欠空間８は水平方向に延びる略Ｕ字形状に形成されている。切欠空間８の上方には、配管保護部材を固定するねじ穴１０が板部材４に備えられている。
【００１２】
配管保護部材について図１を参照して説明する。全体を番号１２で示す配管保護部材は、合成ゴムあるいはウレタン樹脂のような弾性体によって成形され、切欠空間８（図４）の内縁に沿って嵌合する凹溝１４を有したＵ字形状の縁部１６と、凹溝１４の一対の側壁１４ａ、１４ｂの一方１４ａに形成され板部材４（図４）に着脱を自在に固定される取付部１８を備えている。
【００１３】
凹溝１４は、板部材４の厚さｔ（図４）と嵌合する幅Ｔと、側壁１４ａ、１４ｂの深さＤを有して形成されている。取付部１８は、側壁１４ａのＵ字の一側を板部材４の面に沿って平板状に延ばして形成され、ボルトの挿通穴２０を1個備えている。
【００１４】
図２および図３を参照して、配管保護部材１２の、板部材４の切欠空間８への取り付けについて説明する。配管保護部材１２は、取付部１８を上方にして縁部１６の凹溝１４を切欠空間８の内縁９に嵌合させて取り付けられる。そして、配管保護部材１２の取付部１８の挿通穴２０にスペーサ２１およびボルト２２を通し板部材４のねじ穴１０にねじ込む。スペーサ２１を用いることにより、ボルト２２の締付トルクを確実に得ることができる。かくして、配管保護部材１２は板部材４の切欠空間８に取り付けられる。
【００１５】
配管の油圧ホース２４を、配管保護部材１２が取り付けられた切欠空間８に通す。さらに油圧ホース２４をフレーム４にクランプ２６によって固定する。
【００１６】
上述したとおりの配管保護部材１２の作用効果について説明する。
【００１７】
配管保護部材１２は、板部材４の端面に開口した切欠空間８の内縁９に嵌合する縁部１６と縁部１６に形成され板部材４に固定される取付部１８を備えている。したがって、配管を通す切欠空間８に縁部１６を嵌合させ取付部１８を板部材４に固定すればよいので、取り付けが容易であり、かつ確実に板部材４に固定することができる。
【００１８】
特に、配管保護部材１２の取付部１８を切欠空間８の上方にすることにより、配管保護部材１２を、板部材４に1個のボルト２２によって取り付け、下部をホース２４の自重によっておさえることができるので、配管保護部材１２の凹溝１４と切欠空間８の内縁９とを締まり嵌合させることなく、容易に組み立てることができる。さらに、配管保護部材１２を簡単な形状にすることができる。
【００１９】
板部材４の端面に開口した切欠空間８に取り付けられる配管保護部材１２は、建設機械などにおいて作業に応じて適宜に追加装備されるアタッチメント用の後付け配管などの設置に好都合である。
【００２０】
以上、本発明を実施例に基づいて詳細に説明したが、本発明は上記の実施例に限定されるものではなく、例えば下記のように、本発明の範囲内においてさまざまな変形あるいは修正ができるものである。
【００２１】
本実施の形態においては、配管保護部材１２の取付部１８にはボルトの挿通穴２０が1個備えられているが、配管保護部材１２の大きさ、取付向きなどによって、挿通穴は２個以上であってもよい。
【００２２】
本実施の形態においては、切欠空間８は水平方向に延びて形成されているが、切欠空間８が形成される板部材４の設置形態などに応じて必ずしも水平方向でなくてもよい。
【図面の簡単な説明】
【００２３】
【図１】本発明に従って構成された配管保護部材の（ａ）正面図と（ｂ）側面図。
【図２】図１に示す配管保護部材の取付状態を示す（ａ）正面図と（ｂ）側面図。
【図３】図１に示す配管保護部材の取付状態を配管としての油圧ホースとともに示した斜視図。
【図４】配管保護部材が設置される部分の典型例の斜視図。
【符号の説明】
【００２４】
４：板部材
８：切欠空間
１２：配管保護部材
１４：凹溝
１６：縁部
１８：取付部
２０：挿通穴
２２：ボルト
【図１】
2007100884.tif 000003
【図２】
2007100884.tif 000004
【図３】
2007100884.tif 000005
【図４】
2007100884.tif 000006